(57)【特許請求の範囲】
【請求項１】
一方端末装置と電話機との間の回線を接続した接続状態で、電話機によるフッキングに従って一方端末装置と電話機との間の回線の接続を維持し、この維持状態において電話機による他方端末装置への発呼に従って他方端末装置の回線を捕捉して、一方端末装置と他方端末装置との間の回線を接続する電話回線網に対して接続される電話機であって、
着信時に、着信信号から端末装置の着信電話番号を検出する着信電話番号検出手段と、
予め設定された特定電話番号を記憶する特定電話番号記憶手段と、
前記着信電話番号検出手段によって検出された着信電話番号と、前記特定電話番号記憶手段に記憶された特定電話番号とを比較し、電話番号同士が互いに一致しているかどうかを判定する電話番号判定手段と、
前記電話番号判定手段による判定結果が一致していなかった複数の前記着信電話番号を記憶する着信電話番号記憶手段と、
前記電話番号判定手段による判定結果が一致していたときに、電話回線網を用いて、着信した一方端末装置との間の回線を接続させて通話を確立し、フッキングを行うことで回線の接続を維持させて通話を保留し、前記着信電話番号記憶手段に記憶されている着信電話番号の他方端末装置への発呼を行うことで他方端末装置の回線を捕捉させて他方端末装置を呼出し、一方端末装置と他方端末装置との間の回線を接続させて通話を確立する転送動作を実行する転送手段と、
前記転送手段による転送動作実行時に転送先を特定するために、前記着信電話番号記憶手段に記憶された複数の着信電話番号の中からいずれか１つの着信電話番号を選択する選択手段とを含み、
前記転送手段は、前記選択手段によって選択された着信電話番号の他方端末装置への転送動作を実行することを特徴とする電話機。
【請求項２】
一方端末装置と電話機との間の回線を接続した接続状態で、電話機によるフッキングに従って一方端末装置と電話機との間の回線の接続を維持し、この維持状態において電話機による他方端末装置への発呼に従って他方端末装置の回線を捕捉して、一方端末装置と他方端末装置との間の回線を接続する電話回線網に対して接続される電話機であって、
着信時に、着信信号から端末装置の着信電話番号を検出する着信電話番号検出手段と、
着信時に、着信信号から端末装置を識別する着信端末識別情報を検出する着信端末識別情報検出手段と、
前記着信端末識別情報検出手段によって検出された着信端末識別情報を記憶する着信端末識別情報記憶手段と、
予め設定された特定端末識別情報を記憶する特定端末識別情報記憶手段と、
前記着信端末識別情報記憶手段に記憶された着信端末識別情報と、前記特定端末識別情報記憶手段に記憶された特定端末識別情報とを比較し、端末識別情報同士が互いに一致しているかどうかを判定する端末識別情報判定手段と、
前記端末識別情報判定手段による判定結果が一致していなかった複数の前記着信端末識別情報の着信電話番号を記憶する着信電話番号記憶手段と、
前記端末識別情報判定手段による判定結果が一致していたときに、電話回線網を用いて、着信した一方端末装置との間の回線を接続させて通話を確立し、フッキングを行うことで回線の接続を維持させて通話を保留し、前記着信電話番号記憶手段に記憶されている着信電話番号の他方端末装置への発呼を行うことで他方端末装置の回線を捕捉させて他方端末装置を呼出し、一方端末装置と他方端末装置との間の回線を接続させて通話を確立する転送動作を実行する転送手段と、
前記転送手段による転送動作実行時に転送先を特定するために、前記着信電話番号記憶手段に記憶された複数の着信電話番号の中からいずれか１つの着信電話番号を選択する選択手段とを含み、
前記転送手段は、前記選択手段によって選択された着信電話番号の他方端末装置への転送動作を実行することを特徴とする電話機。
【請求項３】
前記選択手段によって選択されて前記転送手段によって通話の転送動作が実行された他方端末装置の着信電話番号を、前記着信電話番号記憶手段から消去する電話番号消去手段を含むことを特徴とする請求項１または２記載の電話機。
【請求項４】
前記着信電話番号記憶手段は、各着信時に記憶された着信電話番号に対して、転送したかどうかを示す転送状況情報をそれぞれ対応付けて記憶し、
前記選択手段は、前記着信電話番号記憶手段に記憶されている着信電話番号であって、前記転送状況情報によって転送していないことが示されている着信電話番号の中からいずれか１つの着信電話番号を選択することを特徴とする請求項１または２記載の電話機。
【請求項５】
転送時に、転送先の他方端末装置が通話中であるかどうかを検出する通話検出手段を含み、
前記電話番号消去手段は、前記選択手段によって選択されて前記転送手段によって通話の転送動作が実行された他方端末装置の着信電話番号であって、前記通話検出手段によって通話中でないことが検出された他方端末装置の着信電話番号を消去することを特徴とする請求項３記載の電話機。
【請求項６】
転送時に、転送先の他方端末装置が通話中であるかどうかを検出する通話検出手段を含み、
前記転送状況情報には、前記通話検出手段の検出結果に基づく、転送先の他方端末装置が通話中であったかどうかを示す通話状況情報を含み、
前記選択手段は、前記着信電話番号記憶手段に記憶されている着信電話番号であって、前記通話状況情報を含む転送状況情報によって通話中であったことを含む転送していないことが示されている着信電話番号の中からいずれか１つの着信電話番号を選択することを特徴とする請求項４記載の電話機。
【請求項７】
転送時に、転送先の他方端末装置が通話中であるかどうかを検出する通話検出手段と、
前記通話検出手段によって転送先の他方端末装置が通話中であることが検出されたときに、通話が保留される前記一方端末装置に対して、呼出される前記他方末装置が通話中であることを示すメッセージを送出するメッセージ送出手段を含むことを特徴とする請求項１または２記載の電話機。
【請求項８】
転送時に、転送先の他方端末装置が通話中であるかどうかを検出する通話検出手段を含み、
前記選択手段は、前記通話検出手段によって転送先の他方端末装置が通話中であることが検出されたときには、異なる着信電話番号の他方端末装置を再度選択することを特徴とする請求項１または２記載の電話機。
【請求項９】
転送時に、転送先の他方端末装置が通話中であるかどうかを検出する通話検出手段と、
前記通話検出手段によって転送先の他方端末装置が通話中であることが検出されたときに、保留を解除して前記一方端末装置からの音声信号を録音する録音手段とを含むことを特徴とする請求項１または２記載の電話機。
【請求項１０】
前記転送手段は、転送時に通話中であった前記他方端末装置への転送動作を再度実行し、
転送動作の再実行時に他方端末装置で応答があったときに、前記録音手段によって録音された音声信号を再生して、他方端末装置に送出する再生手段を含むことを特徴とする請求項９記載の電話機。
【請求項１１】
転送時に通話中であった前記他方端末装置からの呼出しがあったときに、前記録音手段によって録音された音声信号を再生する再生手段を含むことを特徴とする請求項９記載の電話機。
【発明の詳細な説明】
【０００１】
【発明の属する技術分野】
本発明は、転送機能を備える電話機に関する。
【０００２】
【従来の技術】
従来技術において、電話がかかってきたときにオペレータが不在であった場合、発呼元電話機の電話番号などを検出して記憶し、表示装置に表示するなどによって不在時に電話がかかってきたことを報知する、いわゆる不在着信履歴機能を備えた電話機が知られている。このような機能の１つとして、着信に対して自動的に応答して応答メッセージを送出し、発呼元電話機からのメッセージを録音し、所定の指示に基づいて録音メッセージを再生する、いわゆる留守番電話機能が知られている。録音メッセージは、たとえば当該電話機が備える再生ボタンの押下に応答して再生される。また、該電話機を他の電話機から呼出して再生を指示し、録音メッセージを前記他の電話機で聞くことも可能であるが、この場合セキュリティ性を高めるために、所定の電話番号が予め設定され、他の電話機からの着信があったときに該他の電話機の電話番号が検出され、予め設定された前記電話番号と一致したときに録音メッセージが再生される。またあるいは、所定の暗証番号が予め設定され、着信した他の電話機から入力される暗証番号が検出され、予め設定された前記暗証番号と一致したときに録音メッセージが再生される。
【０００３】
このような電話機では不在着信履歴機能や留守番電話機能によって記憶された内容を確認して電話をかけ直す場合、電話番号などを控えるために筆記用具を準備しなければならず、使用者にとっては非常に不便である。そこで、不在時に電話がかかってきたときに所定の転送先に転送する転送機能が知られている。
【０００４】
たとえば特開平５−１２２３０１号公報には、着信時に検出された発呼元電話機からの暗証番号が予め設定されている暗証番号と一致したときに、発呼元電話機との通信を所定の転送先に転送する技術が開示されている。また、特開平５−１５３２０３号公報や特開平５−１５３２０４号公報には、所定の電話機と転送先の電話機とを予め対応付けておき、発呼元電話機との通信を該電話機に対応付けられている転送先電話機に転送する技術が開示されている。また、特開平５−１５３２６１号公報には、転送先の電話番号を発呼元の電話機に向けて送信し、発呼元電話機から転送先電話機に発呼できるようにした技術が開示されている。
【０００５】
【発明が解決しようとする課題】
前述した特開平５−１２２３０１号公報、特開平５−１５３２０３号公報、特開平５−１５３２０４号公報および特開平５−１５３２６１号公報の技術は、たとえばオペレータが携帯電話機を持って外出する場合、特定の電話機からかかってきた電話を転送先の携帯電話機に転送するために有効である。
【０００６】
しかし、特定の携帯電話機から電話機に電話をかけ、該電話機にかかってきていた電話機に転送することはできず、このような場合には、不在着信履歴機能や留守番電話機能によって記憶された内容を確認して電話をかけ直す必要がある。またこのとき、筆記用具を準備しなければならず、使用者にとっては非常に不便である。
【０００７】
本発明の目的は、着信した端末装置と以前に着信した端末装置とでの通話が転送動作によって可能で、たとえばオペレータの不在時に電話がかかってきていたときに、外出先の電話機から、電話をかけてきていた相手先の電話機ヘ、間違いなく簡単に通信を転送することができる電話機を提供することである。
【０００８】
【課題を解決するための手段】
本発明は、一方端末装置と電話機との間の回線を接続した接続状態で、電話機によるフッキングに従って一方端末装置と電話機との間の回線の接続を維持し、この維持状態において電話機による他方端末装置への発呼に従って他方端末装置の回線を捕捉して、一方端末装置と他方端末装置との間の回線を接続する電話回線網に対して接続される電話機であって、
着信時に、着信信号から端末装置の着信電話番号を検出する着信電話番号検出手段と、
予め設定された特定電話番号を記憶する特定電話番号記憶手段と、
前記着信電話番号検出手段によって検出された着信電話番号と、前記特定電話番号記憶手段に記憶された特定電話番号とを比較し、電話番号同士が互いに一致しているかどうかを判定する電話番号判定手段と、
前記電話番号判定手段による判定結果が一致していなかった複数の前記着信電話番号を記憶する着信電話番号記憶手段と、
前記電話番号判定手段による判定結果が一致していたときに、電話回線網を用いて、着信した一方端末装置との間の回線を接続させて通話を確立し、フッキングを行うことで回線の接続を維持させて通話を保留し、前記着信電話番号記憶手段に記憶されている着信電話番号の他方端末装置への発呼を行うことで他方端末装置の回線を捕捉させて他方端末装置を呼出し、一方端末装置と他方端末装置との間の回線を接続させて通話を確立する転送動作を実行する転送手段と、
前記転送手段による転送動作実行時に転送先を特定するために、前記着信電話番号記憶手段に記憶された複数の着信電話番号の中からいずれか１つの着信電話番号を選択する選択手段とを含み、
前記転送手段は、前記選択手段によって選択された着信電話番号の他方端末装置への転送動作を実行することを特徴とする電話機である。
【０００９】
本発明に従えば、電話番号によって予め定められた一方端末装置から、本発明に基づく電話機が呼出されると、電話回線網によって一方端末装置と電話機との間の回線を接続させ、該一方端末装置と電話装置との間での通話を確立する。
電話機が転送動作を行う場合、フッキングを行うことで回線の接続を維持させて通話を保留する。保留状態とした後、前記予め定められた一方端末装置以外であって、以前に着信があった他方端末装置への発呼を行い、他方端末装置の回線を捕捉させて他方端末装置を呼出す。他方端末装置が該呼出しに応答すると、一方端末装置と他方端末装置との間の回線を接続させて、一方端末装置と他方端末装置との通話を確立する。
【００１０】
したがって、本発明に基づく電話機のオペレータであって、外出したオペレータが一方端末装置を操作するような場合、前記電話機に任意の他方端末装置から電話がかかっていた後で、一方端末装置から電話機に電話をかけると、電話がかかっていた他方端末装置が自動的に呼出され、他方端末装置がその呼出しに応答することによって一方および他方端末装置間での通話が可能となる。
これによって外出中のオペレータは、電話機に電話がかかっていた場合に、留守番機能によって記憶された電話番号をメモして、電話をかけ直す必要がなく、煩わしい確認操作を行う必要はない。また筆記用具を準備する必要もない。したがって、操作性が著しく向上する。
また複数の他方端末装置から着信がある場合、それらの他方端末装置の各着信電話番号が、着信番号記憶手段に複数記憶される。この場合、一方端末装置から電話機に電話をかけると、外出中のオペレータは、選択手段によって前記記憶される複数の他方端末装置の着信電話番号の中から１つの着信電話番号を選択することができる。そして、選択手段が選択した着信電話番号の他方端末装置と一方端末装置との間の回線を接続させて、一方端末装置と他方端末装置と通話を確立することができる。このようにして以前に複数の他方端末装置から着信があった場合でも、一方端末装置を操作するオペレータは、複数の他方端末装置の中から所望の他方端末装置を選択して、所望の他方端末装置との通話を確立することが可能となる。なお、他方端末装置の選択は、たとえば一方端末装置から入力されるＤＴＭＦ信号に基づいて選択するようにしてもかまわない。
【００１１】
また本発明は、一方端末装置と電話機との間の回線を接続した接続状態で、電話機によるフッキングに従って一方端末装置と電話機との間の回線の接続を維持し、この維持状態において電話機による他方端末装置への発呼に従って他方端末装置の回線を捕捉して、一方端末装置と他方端末装置との間の回線を接続する電話回線網に対して接続される電話機であって、
着信時に、着信信号から端末装置の着信電話番号を検出する着信電話番号検出手段と、
着信時に、着信信号から端末装置を識別する着信端末識別情報を検出する着信端末識別情報検出手段と、
前記着信端末識別情報検出手段によって検出された着信端末識別情報を記憶する着信端末識別情報記憶手段と、
予め設定された特定端末識別情報を記憶する特定端末識別情報記憶手段と、
前記着信端末識別情報記憶手段に記憶された着信端末識別情報と、前記特定端末識別情報記憶手段に記憶された特定端末識別情報とを比較し、端末識別情報同士が互いに一致しているかどうかを判定する端末識別情報判定手段と、
前記端末識別情報判定手段による判定結果が一致していなかった複数の前記着信端末識別情報の着信電話番号を記憶する着信電話番号記憶手段と、
前記端末識別情報判定手段による判定結果が一致していたときに、電話回線網を用いて、着信した一方端末装置との間の回線を接続させて通話を確立し、フッキングを行うことで回線の接続を維持させて通話を保留し、前記着信電話番号記憶手段に記憶されている着信電話番号の他方端末装置への発呼を行うことで他方端末装置の回線を捕捉させて他方端末装置を呼出し、一方端末装置と他方端末装置との間の回線を接続させて通話を確立する転送動作を実行する転送手段と、
前記転送手段による転送動作実行時に転送先を特定するために、前記着信電話番号記憶手段に記憶された複数の着信電話番号の中からいずれか１つの着信電話番号を選択する選択手段とを含み、
前記転送手段は、前記選択手段によって選択された着信電話番号の他方端末装置への転送動作を実行することを特徴とする電話機である。
【００１２】
本発明に従えば、電話番号によって端末装置を特定する代わりに、暗証番号などの端末識別情報によって端末装置を特定することによっても、上述したような転送動作を実行することができる。したがって、煩わしい確認操作が不要となり、筆記用具を準備する必要がなくなり、操作性が著しく向上する。さらに、上述したように一方端末装置のオペレータは、以前に着信があった複数の他方端末装置の中から、所定の他方端末装置を選択することができ、選択した他方端末装置と一方端末装置との間での通話が可能となる。
【００１３】
また本発明は、前記選択手段によって選択されて前記転送手段によって通話の転送動作が実行された他方端末装置の着信電話番号を、前記着信電話番号記憶手段から消去する電話番号消去手段を含むことを特徴とする。
【００１４】
本発明に従えば、以前に着信があった複数の他方端末装置のうちの選択されて転送された他方端末装置の着信電話番号が消去される。したがって、次回に一方端末装置から電話機を呼出したときには、一度転送された前記他方端末装置には転送されることはない。したがって、不要な他方端末装置への転送動作をなくすことができ、また通話時間を短縮することができる。このため、通話料金を低減して利便性を向上することができる。
【００１５】
また本発明は、前記着信電話番号記憶手段は、各着信時に記憶された着信電話番号に対して、転送したかどうかを示す転送状況情報をそれぞれ対応付けて記憶し、
前記選択手段は、前記着信電話番号記憶手段に記憶されている着信電話番号であって、前記転送状況情報によって転送していないことが示されている着信電話番号の中からいずれか１つの着信電話番号を選択することを特徴とする。
【００１６】
本発明に従えば、以前に着信があった複数の他方端末装置の着信電話番号に対して記憶される転送状況情報によって、電話番号を消去することなく上述したように転送動作を制御することができる。すなわち、転送していない着信電話番号の他方端末装置の中からいずれか１つの着信電話番号の他方端末装置が選択されて転送動作が実行される。
【００１７】
また本発明は、転送時に、転送先の他方端末装置が通話中であるかどうかを検出する通話検出手段を含み、
前記電話番号消去手段は、前記選択手段によって選択されて前記転送手段によって通話の転送動作が実行された他方端末装置の着信電話番号であって、前記通話検出手段によって通話中でないことが検出された他方端末装置の着信電話番号を消去することを特徴とする。
【００１８】
本発明に従えば、以前に着信があった複数の他方端末装置のうちの選択されて転送された他方端末装置の着信電話番号が消去されるが、このとき他方端末装置が通話中であることが検出されたときには、その他方端末装置の着信電話番号は消去されない。したがって、次回に一方端末装置から電話機を呼出したときに、以前に通話中であった前記他方端末装置を含む他方端末装置の中から所望の他方端末装置を選択して転送することができる。
【００１９】
また本発明は、転送時に、転送先の他方端末装置が通話中であるかどうかを検出する通話検出手段を含み、
前記転送状況情報には、前記通話検出手段の検出結果に基づく、転送先の他方端末装置が通話中であったかどうかを示す通話状況情報を含み、
前記選択手段は、前記着信電話番号記憶手段に記憶されている着信電話番号であって、前記通話状況情報を含む転送状況情報によって通話中であったことを含む転送していないことが示されている着信電話番号の中からいずれか１つの着信電話番号を選択することを特徴とする。
【００２０】
本発明に従えば、以前に着信があった複数の他方端末装置の着信電話番号に対して記憶される転送状況情報によって、電話番号を消去することなく上述したように転送動作を制御することができる。この転送状況情報には、通話状況情報が含まれる。したがって、通話中であったことを含む転送していない着信電話番号の他方端末装置の中からいずれか１つの着信電話番号の装置を選択して転送動作を実行することができる。
【００２１】
また本発明は、転送時に、転送先の他方端末装置が通話中であるかどうかを検出する通話検出手段と、
前記通話検出手段によって転送先の他方端末装置が通話中であることが検出されたときに、通話が保留される前記一方端末装置に対して、呼出される前記他方末装置が通話中であることを示すメッセージを送出するメッセージ送出手段を含むことを特徴とする。
【００２２】
本発明に従えば、転送先の他方端末装置が通話中であることが検出されたときには、前記一方端末装置に対して、他方端末装置が通話中であることを示すメッセージが送出される。したがって、一方端末装置を操作するオペレータは、転送先が通話中であることを把握することができる。
【００２３】
また本発明は、転送時に、転送先の他方端末装置が通話中であるかどうかを検出する通話検出手段を含み、
前記選択手段は、前記通話検出手段によって転送先の他方端末装置が通話中であることが検出されたときには、異なる着信電話番号の他方端末装置を再度選択することを特徴とする。
【００２４】
本発明に従えば、転送先の他方端末装置が通話中であることが検出されたときには、異なる他方端末装置が再度選択されて、再選択された他方端末装置に転送される。したがって、一方端末装置による電話機の一回の呼出しによって、複数端末装置への転送動作を繰返して実施することができる。
【００２５】
また本発明は、転送時に、転送先の他方端末装置が通話中であるかどうかを検出する通話検出手段と、
前記通話検出手段によって転送先の他方端末装置が通話中であることが検出されたときに、保留を解除して前記一方端末装置からの音声信号を録音する録音手段とを含むことを特徴とする。
【００２６】
本発明に従えば、転送先の他方端末装置が通話中であることが検出されたときには、保留が解除されて一方端末装置からの音声信号が録音される。したがって、一方端末装置のオペレータから他方端末装置のオペレータへのメッセージを電話機で録音することができる。
【００２７】
また本発明は、前記転送手段は、転送時に通話中であった前記他方端末装置への転送動作を再度実行し、
転送動作の再実行時に他方端末装置で応答があったときに、前記録音手段によって録音された音声信号を再生して、他方端末装置に送出する再生手段を含むことを特徴とする。
【００２８】
本発明に従えば、転送時に通話中であった他方端末装置への転送動作を再度実行し、該他方端末装置で応答があったときに、録音された音声信号が再生されて他方端末装置に送出される。したがって、一方端末装置のオペレータから他方端末装置のオペレータへのメッセージを一方端末装置からの一度の呼出しだけで容易に送出することができる。
【００２９】
また本発明は、転送時に通話中であった前記他方端末装置からの呼出しがあったときに、前記録音手段によって録音された音声信号を再生する再生手段を含むことを特徴とする。
【００３０】
本発明に従えば、転送時に通話中であった他方端末装置からの呼出しがあったときに、録音された音声信号が再生されて他方端末装置に送出される。したがって、一方端末装置のオペレータから他方端末装置のオペレータへのメッセージを一方端末装置からの一度の呼出しだけで容易に送出することができる。
【００５２】
【発明の実施の形態】
図１（Ａ）は、本発明の一実施形態である電話機１の電気的構成を示すブロック図である。電話機１は、制御部２、ダイヤルボタン群３、留守設定ボタン５を有する操作ボタン群４、表示部６、相手先検出部７、相手終話検出部８、ハンドセット上下検出部９、ハンドセット１０、タイマ１１、相手電話番号記憶部１２、各種設定記憶部１３、ＤＴＭＦ（Dual Tone Modulation Frequency）検出部１４、メッセージ録音再生部１５、呼出し音出力部１６および網制御部１７を含んで構成される。
【００５３】
制御部２は、たとえばＣＰＵ（中央演算処理装置）で実現され、予め定められる動作プログラムに従って電話機１全体の動作を制御する。網制御部１７は、送信すべき信号の電話回線網への送出動作および該電話回線網からの各種信号の受信動作を制御する。具体的には、着信信号の検出、ハンドセット通話路の設定およびメッセージの録音再生時の通話路の設定などを行う。各種設定記憶部１３にはこれらの動作に必要な各種設定データが記憶されており、またこれらの動作処理のために使用され、たとえばＲＯＭ（リードオンリメモリ）やＲＡＭ（ランダムアクセスメモリ）で実現される。
【００５４】
ダイヤルボタン群３は、０から９まで数値キー、アスタリスク（＊）キーおよびシャープ（＃）キーを備え、これらのキーを用いて発呼すべき電話番号が入力される。また、該キーを用いて、各種設定データが入力される。
【００５５】
操作ボタン群４の留守設定ボタン５を押下するなどに基づいて、当該電話機１に留守番電話機能の実行が設定される。留守番電話機能とは、着信時に所定時間が経過してもオフフック状態が検出されなかったときに、回線を自動的に閉結し、予め録音された所定の応答メッセージを再生して発呼元の端末装置に向けて送信し、また発呼元の端末装置から受信したメッセージを録音する機能である。ここで、メッセージの録音や再生はメッセージ録音再生部１５によって実行される。
【００５６】
表示部６は、たとえばＬＣＤ（液晶表示装置）などで実現され、入力された発呼先電話番号や各種設定データなどが表示される。
【００５７】
相手先検出部７は、受信した着信信号から発呼元端末装置を特定する。すなわち、相手先検出部７は着信信号に含まれる発呼元端末装置の電話番号を取得する。取得された電話番号は、タイマ１１によって計時される着信日時とともに、たとえばＲＡＭで実現される相手電話番号記憶部１２に設けられる着信電話番号記憶テーブルに記憶される。相手終話検出部８は、着信した発呼元端末装置との通話終了である終話を検出する。
【００５８】
ハンドセット上下検出部９は、ハンドセット１０の状態、すなわちオンフック状態かオフフック状態かを検出する。着呼時にオペレータがハンドセット１０を持上げてオフフック状態が検出されると、回線が閉結されて通話状態となる。また、発呼時にオペレータがハンドセット１０を持上げてオフフック状態が検出されると、続いて入力される発呼先端末装置の電話番号が発呼され、該発呼先で着信すると、回線が閉結されて通話状態となる。ハンドセット１０が載置されてオンフック状態が検出されると、回線が遮断されて通話状態が終了される。
【００５９】
ＤＴＭＦ検出部１４は受信するＤＴＭＦ信号を検出する。たとえば該ＤＴＭＦ信号から暗証番号を取得し、取得した暗証番号もまた前記相手電話番号記憶部１２に記憶される。呼出し音出力部１６は、着信信号の受信時などにオペレータを呼出す音響を出力する。
【００６０】
また、前記各種設定記憶部１３には、予め設定された特定電話番号を記憶する特定電話番号記憶テーブルが設けられる。
【００６１】
このような電話機１は、図１（Ｂ）に示されるように複数の電話機と電話回線網を介して通話可能である。たとえば外出中のオペレータが操作する特定電話機Ａから電話機１に電話をかけたときに電話機１に以前に任意の電話機Ｂから電話機１に電話がかかっていた場合、電話機１は通話の転送動作を実施する。電話機１は電話回線網を用いて、電話機Ａとの通話を保留し、電話機Ｂを呼出す。電話機Ｂが応答すると、電話機Ａ，Ｂ間での通話を確立する。
本発明における電話回線網は、回線の捕捉、接続、接続維持および遮断を行う。電話機１は、電話回線網によって電話機Ａと電話機１との間の回線を接続させることによって、通話を確立する。また電話機１は、通話を確立した状態でフッキングすることで電話回線網に指令を与え、電話回線網に回線の接続を維持させて、通話を保留する。
また電話機は、電話機Ａとの通話を保留した状態で電話機Ｂに発呼することで電話回線網に指令を与え、電話回線網に電話機Ｂの回線を捕捉させて、電話機Ｂを呼出す。電話機Ｂが応答すると、電話機は、電話回線網によって電話機Ａと電話機Ｂとの間の回線を接続させて、電話機Ａと電話機Ｂとの通話を確立する。このように電話機１は、電話回線網に回線の捕捉、接続、接続維持、および遮断を行わせることによって、呼出し、通話の確立、保留、通話の確立の解除を行うことができる。
【００６２】
図２は、メッセージ録音再生部１５が有する音声データ記憶テーブル２１を示す図である。該テーブル２１では、データ識別番号２２毎に、予め定められる音声に基づく音声データ２３が記憶されている。該音声データ２３を組合わせることによって各種の応答メッセージが構成される。たとえば、「０１２−３４５６７８９から不在着信がありました。転送します。」というメッセージは、「０」、「１」、「２」、「３」、「４」、「５」、「６」、「７」、「８」、「９」、「から」、「不在着信がありました」および「転送します」に区切られ、これをデータ識別番号２２にそれぞれ変換し、「１０，１，２，３，４，５，６，７，８，９，１３，１４，１５」とされる。
【００６３】
なお、本実施形態では、第３１から第３９までのデータ識別番号２２の領域は、受信したメッセージなどを録音するために用いられる。
【００６４】
続いて、電話機１の具体的な転送動作を第１〜第２０実施形態で説明する。
【００６５】
図３は、第１実施形態である電話機１の転送動作を示すフローチャートである。ステップａ１で網制御部１７が着信信号を検出して着信があったと判断されるとステップａ２に進み、検出された着信信号に含まれる着信電話番号が相手先検出部７で検出され、該着信電話番号と各種設定記憶部１３の特定電話番号記憶テーブルに記憶された特定電話番号とが照合され、着信電話番号が特定電話番号であるかどうかが判断される。このような電話番号の照合および判断動作は、制御部２によって実行される。電話番号同士が互いに一致していたときにはステップａ４に進み、一致していなかったときにはステップａ３に進む。
【００６６】
電話番号が一致していなかったステップａ３では、検出された着信電話番号を相手電話番号記憶部１２の着信電話番号記憶テーブルに記憶して、動作を終了する。
【００６７】
電話番号が一致していたステップａ４では、不在着信の電話番号を記憶しているかどうか、すなわち前記着信電話番号記憶テーブルにすでに着信電話番号が記憶されているかどうかを、制御部２が判断する。記憶されているときにはステップａ５に進み、記憶されていないときには、転送動作を行わずにそのまま動作を終了する。
【００６８】
着信電話番号が記憶されていたときのステップａ５では、電話回線網によって着信した一方電話機との間で回線を接続させ、通話を確立する。さらにステップａ６で、フッキング動作を行って確立した通話を保留する。さらにステップａ７で、前記着信電話番号記憶テーブルに記憶された着信電話番号を発呼して他方電話機を呼出す。さらにステップａ８で、一方電話機との間で接続させた回線を遮断させて、転送動作を終了する。このように電話回線網によって、回線の接続状態を変更させることで、一方電話機と他方電話機との間での通話路を確立することができる。このような転送動作は、制御部２によって制御され実行される。なお、転送方法は上述した方法に限らず、網の形態によって適宜決定される。
【００６９】
図４は、第１実施形態の電話機１の転送動作の一例を示すシーケンスである。電話機１によると、オペレータの不在時において、特定電話機ではない任意の電話機Ｂから電話機１に電話があると、電話機Ｂの電話番号が着信電話番号記憶テーブルに記憶される。次に、特定電話機である電話機Ａから電話機１に電話があると、電話機１，Ａ間の回線を接続させて通話を確立し、続いて該通話を保留し、電話機１は電話機Ｂを呼出す。電話機Ｂで応答があると電話機Ａ，Ｂ間の回線を接続させて通話を確立する。
【００７０】
ここで、前記保留時において、電話機１の制御部２はメッセージ録音再生部１５を用いて電話機Ａに転送中であることを示す所定のメッセージ、たとえば「転送中です」というメッセージを再生して、網制御部１７を介して送出する。なお、前記メッセージに代わって保留音を送出してもかまわない。また、前記メッセージに続いて、電話機１が電話機Ｂを呼出している間、電話回線網は電話機Ａにリングバックトーン（ＲＢＴ）を送出する。
【００７１】
以上のように第１実施形態によれば、たとえば電話機１のオペレータであって、外出したオペレータが特定電話機Ａを操作する場合、特定電話機Ａ以外の任意の電話機Ｂから電話機１に電話がかかっていたときには、特定電話機Ａから電話機１に電話をかけると自動的に電話機Ｂが呼出され、電話機Ｂの応答によって電話機Ａ，Ｂ間での通話が可能となる。
【００７２】
したがって、外出中のオペレータは、不在着信があったかどうかなどを確認するための煩わしい操作を行う必要はなく、またそのための筆記用具を準備する必要もなく、応答した電話機Ｂのオペレータと通話することができる。したがって、操作性が著しく向上する。
【００７３】
なお、電話番号に代わって暗証番号を用いて特定の電話機Ａからの呼出しかどうかを判断するようにしてもかまわない。すなわち、電話機１において予め暗証番号を登録しておき、着信時に相手側端末装置が暗証番号を入力するように設定し、暗証番号同士が一致したときに転送動作を実行する。
【００７４】
図５は、第２実施形態である電話機１の転送動作の一例を示すシーケンスである。特定電話機Ａから電話機１に電話があって電話機１，Ａ間の回線を接続させて通話を確立した後、第２実施形態では、特に、呼出される前記電話機Ｂを示すメッセージ、たとえば「電話機Ｂから不在着信がありました」というメッセージが電話機Ａに向けて送出される。制御部２は、該メッセージをメッセージ送出手段に相当するメッセージ録音再生部１５を用いて再生し、網制御部１７を介して電話回線網に送出する。
【００７５】
前記メッセージの送出後、続いて、第１実施形態と同様に通話を保留し、電話機１は電話機Ｂを呼出す。電話機Ｂで応答があると電話機Ａ，Ｂ間の回線を接続させて通話を確立する。
【００７６】
以上のように第２実施形態によれば、特定電話機Ａに対して呼出される電話機Ｂを示すメッセージを送出することができ、電話機Ａを操作するオペレータは転送先を把握することができる。これによって、電話機Ｂで応答したときに、電話機Ａのオペレータは適切な応対を実施することができ、利便性が向上する。
【００７７】
図６は、第３実施形態である電話機１の転送動作を示すフローチャートである。このフローチャートは、図３のフローチャートにステップａ９〜ａ１２を追加したものであり、同様のステップの説明は省略する。
【００７８】
着信電話番号が特定電話番号と一致しており、不在着信の電話番号を記憶しており、ステップａ５で回線を接続させて通話を確立すると、ステップａ９に進む。ステップａ９では、タイマ１１を設定して時間の計測を開始する。ステップａ１０では、呼出される前記電話機Ｂを示すメッセージをメッセージ録音再生部１５で再生して網制御部１７を介して電話機Ａに向けて送出する。
【００７９】
ステップａ１１では、電話機１，Ａ間の通話の終了を表す終話信号、たとえばビジートーン（ＢＴ）を相手終話検出部８が検出したかどうかを、制御部２が判断する。検出したときにはステップａ８に進み、検出していないときにはステップａ１２に進む。ステップａ１２では、タイマ１１で計時された時間が予め定められる時間を越えたかどうかを、制御部２で判断する。越えたときにはステップａ６に進み、越えていないときにはステップａ１１に戻る。
【００８０】
図７は、第３実施形態の電話機１の転送動作の一例を示すシーケンスである。特定電話機Ａから電話機１に電話があって電話機１，Ａ間の回線を接続させて通話を確立した後、第３実施形態では、特に、予め定められる時間（図７中の終話検出区間に相当）が経過したかどうかが判断するとともに、呼出す前記電話機Ｂを示すメッセージを電話機Ａに向けて送出する。前記終話検出区間内において、電話機Ａがオンフック状態となって電話回線網からのビジートーンを検出すると、電話機１，Ａ間の間の回線を遮断させて通話を遮断し、電話機１の転送動作を中断する。該終話検出区間内においてビジートーンが検出されないときには、第１実施形態と同様にして、転送動作を実施する。
【００８１】
以上のように第３実施形態によれば、電話機Ａのオペレータが電話機１からのメッセージを聞き、転送不要であると判断して回線を遮断させることで通話を遮断したときには、電話機１の転送動作を中断する。したがって、不要な相手に通話を転送することを防止することができる。
【００８２】
図８は、第４実施形態である電話機１の転送動作を示すフローチャートである。このフローチャートは、図６のフローチャートにステップａ１３を追加したものであり、同様のステップの説明は省略する。ステップａ１１で電話機１，Ａ間の通話の終了を表すビジートーンを相手終話検出部８が検出するとステップａ１３に進み、前記着信電話番号記憶テーブルに記憶された着信電話番号を制御部２が消去する。該制御部２によって、このような電話番号消去動作が実行される。着信電話番号が消去されると、ステップａ８に進む。
【００８３】
以上のように第４実施形態によれば、特定電話機Ａのオペレータが電話機１からのメッセージを聞き、転送不要であると判断して通話を遮断したときには、電話機１は転送動作を中断するとともに、電話機Ｂの電話番号を消去する。したがって、以降に特定電話機Ａから電話機１に電話をかけたときに、既に転送不要と判断されている電話機Ｂに転送されることがなくなる。また、電話機Ｂへの転送を示すメッセージの送出がなくなるので、通話料金の低減を図ることができる。また、オペレータは電話番号消去のための操作を実施する必要がなく、また不要なメッセージを聞くことがなくなるので、操作性や利便性が向上する。
【００８４】
図９は、第５実施形態である電話機１の転送動作を示すフローチャートである。このフローチャートは、図８のフローチャートにステップａ１４〜ａ１６を追加したものであり、同様のステップの説明は省略する。
【００８５】
ステップａ３で着信電話番号を着信電話番号記憶テーブルに記憶すると、ステップａ１４に進む。ステップａ１４では、ハンドセット１０の状態がハンドセット上下検出部９で検出され、該ハンドセット１０が持上げられてオフフック状態となったかどうかが、制御部２で判断される。すなわち、電話機１で応答したかどうかが判断される。制御部２によって、このような着信応答検出動作が実行される。オフフック状態となって電話機１で応答したときにはステップａ１６に進み、前記ステップａ３で着信電話番号記憶テーブルに記憶した着信電話番号を制御部２が消去して、動作を終了する。オフフック状態となっておらず、電話機１で応答していないときにはステップａ１５に進む。
【００８６】
ステップａ１５では、着信中であるかどうか、すなわち着信信号受信中であるかどうかを、制御部２が判断する。着信信号受信中のときにはステップａ１４に戻り、着信信号受信中ではないときには、動作を終了する。
【００８７】
図１０は、第５実施形態の電話機１の転送動作の一例を示すシーケンスである。電話機Ｂから電話機１に電話があると、電話機Ｂの着信電話番号が着信電話番号記憶テーブルに記憶される。しかし、電話機１のハンドセット１０が持上げられてオフフック状態となって該電話機１で応答すると、記憶された前記着信電話番号が消去され、電話機１，Ｂ間での通話が実施される。
【００８８】
以上のように第５実施形態によれば、電話機Ｂからの呼出しを受けて電話機１で応答したときには、電話機Ｂの電話番号は記憶されないので、以降において外出中のオペレータによって特定電話機Ａから電話機１に電話をかけたときに、電話機１で応答した前記電話機Ｂ、すなわち転送不要な電話機Ｂに転送されることがなくなる。
【００８９】
図１１は、第６実施形態である電話機１の相手電話番号記憶部１２が有する着信電話番号記憶テーブル２５ａを示す図である。該テーブル２５ａは、着信電話番号２６に対して、着信時に、着信信号がなくなるまでに電話機１が応答したかどうかを示す応答状況情報２７を対応付けて記憶するものである。たとえば、「０１２−３４５−６７８９」の電話番号の電話機からの着信時に、電話機１が応答したことが記憶される。また、応答しなかったことも記憶可能である。
【００９０】
図１２は、第６実施形態の電話機１の転送動作を示すフローチャートである。このフローチャートは、図９のフローチャートのステップａ１６を削除して、ステップａ１７〜ａ１９を追加したものであり、同様のステップの説明は、省略する。
【００９１】
ステップａ３で着信電話番号２６を着信電話番号記憶テーブル２５ａに記憶すると、ステップａ１４に進む。ステップａ１４では、ハンドセット１０が持上げられてオフフック状態となったかどうか、すなわち電話機１で応答したかどうかが制御部２で判断される。オフフック状態となって電話機１で応答したときにはステップａ１８に進み、制御部２が、着信電話番号記憶テーブル２５ａに記憶された着信電話番号２６に対して、電話機１が応答したことを示す応答状況情報２７を対応付けて記憶させて、動作を終了する。オフフック状態となっておらず、電話機１で応答していないときにはステップａ１５に進む。
【００９２】
ステップａ１５では、着信中であるかどうか、すなわち着信信号受信中であるかどうかを、制御部２が判断する。着信信号受信中のときにはステップａ１４に戻り、着信信号受信中ではないときにはステップａ１９に進む。ステップａ１９では、制御部２が、着信電話番号記憶テーブル２５ａに記憶された着信電話番号２６に対して、電話機１が応答していないことを示す応答状況情報２７を対応付けて記憶させて、動作を終了する。
【００９３】
また、ステップａ４で不在着信の電話番号を記憶していると判断されたときにはステップａ１７に進み、前記テーブル２５ａの応答状況情報２７を参照して電話機１で応答しているかどうかを、制御部２が判断する。応答しているときには動作を終了し、応答していないときにはステップａ５に進む。
【００９４】
以上のように第６実施形態によれば、着信時に電話機１で応答したかどうかが応答状況情報２７によって示され、該情報２７によって転送動作が制御されるので、第５実施形態のように着信電話番号を消去しなくても、外出中のオペレータによって特定電話機Ａから電話機１に電話をかけたときに、電話機１で応答した電話機Ｂ、すなわち転送不要な電話機Ｂに転送されることがなくなる。
【００９５】
図１３は、第７実施形態である電話機１の相手電話番号記憶部１２が有する着信電話番号記憶テーブル２５ｂを示す図である。該テーブル２５ｂは、着信電話番号２６に対して、前記応答状況情報２７と、さらに転送したかどうかを示す転送状況情報２８とを対応付けて記憶するものである。たとえば、図１３（Ａ）に示されるように「０１２−３４５−６７８９」の電話番号の電話機からの着信時に、電話機１が応答していないことが応答状況情報２７によって示され、転送していないことが転送状況情報２８によって示される。また、図１３（Ｂ）に示されるように、転送したことが転送状況情報２８によって示される。
【００９６】
図１４は、第７実施形態の電話機１の転送動作を示すフローチャートである。このフローチャートは、図１２のフローチャートにステップａ２０，ａ２１を追加したものであり、同様のステップの説明は省略する。
【００９７】
ステップａ４で不在着信の電話番号を記憶していると判断さたときにはステップａ１７に進み、前記テーブル２５ｂの応答状況情報２７を参照して電話機１で応答しているかどうかを、制御部２が判断する。応答しているときには動作を終了し、応答していないときにはステップａ２０に進む。ステップａ２０では、前記テーブル２５ｂの転送状況情報２８を参照して転送していないかどうかを、制御部２が判断する。転送していないときにはステップａ５に進み、転送しているときには動作を終了する。
【００９８】
また、ステップａ８で回線を遮断させるとステップａ２１に進み、転送したことを示す転送状況情報２８を着信電話番号２６に対応付けてテーブル２５ｂに記憶して、動作を終了する。
【００９９】
以上のように第７実施形態によれば、電話機１で転送したかどうかが転送状況情報２８によって示され、前記応答状況情報２７と該転送状況情報２８とによって転送動作が制御されるので、外出中のオペレータによって特定電話機Ａから電話機１に電話をかけたときに、電話機１で応答した電話機Ｂだけでなく転送した電話機Ｂを含む転送不要な電話機Ｂに転送されることがなくなる。
【０１００】
図１５は、第８実施形態である電話機１の相手電話番号記憶部１２が有する着信電話番号記憶テーブル２５ｃを示す図である。該テーブル２５ｃは、着信電話番号２６に対して、前記応答状況情報２７と転送状況情報２８とを対応付けて記憶するものである。転送状況情報２８は、第７実施形態で説明したように転送したかどうかを示すとともに、さらに転送を中断したかどうかを示す転送中断情報２９を含む。たとえば、図１５（Ａ）に示されるように「０１２−３４５−６７８９」の電話番号の電話機からの着信時に、電話機１が応答していないことが応答状況情報２７によって示され、転送していないことが転送状況情報２８によって示される。また、図１５（Ｂ）に示されるように、転送が中断されたことが転送中断情報２９によって示される。
【０１０１】
図１６は、第８実施形態の電話機１の転送動作を示すフローチャートである。このフローチャートは、図１４のフローチャートのステップａ１３に代わってステップａ２２を追加したものであり、同様のステップの説明は省略する。
【０１０２】
ステップａ１１で終話信号を検出するとステップａ２２に進み、制御部２は、転送を中断したことを示す転送中断情報２９を着信電話番号２６に対応付けてテーブル２５ｃに記憶し、ステップａ８に進む。
【０１０３】
以上のように第８実施形態によれば、電話機１で転送を中断したかどうかが転送中断情報２９によって示される。したがって、前記応答状況情報２７および転送状況情報２８に加えて該転送中断情報２９によって転送動作を制御することができ、たとえば転送が中断されたことが示されているときには転送していないものとして転送動作を実行することができる。これによって、外出中のオペレータによって電話機Ａから電話機１に電話をかけたときに、電話機１で応答した電話機Ｂだけでなく転送した電話機Ｂを含む転送不要な電話機Ｂに転送されることがなくなり、また転送を中断した電話機Ｂには転送することが可能となる。
【０１０４】
図１７（Ａ）および図１７（Ｂ）は、第９実施形態である電話機１の相手電話番号記憶部１２が有する着信電話番号記憶テーブル２５ｄ，２５ｅをそれぞれ示す図である。テーブル２５ｄは、着信電話番号２６を該番号２６を識別する識別番号３０に対応付けて複数記憶するものである。また、テーブル２５ｅは、前記応答状況情報２７と転送状況情報２８とを対応付けて記憶するものである。
【０１０５】
図１８は、第９実施形態の電話機１の転送動作を示すフローチャートである。このフローチャートは、図３のフローチャートにステップａ２３，ａ２４を追加したものであり、同様のステップの説明は省略する。また、前記着信電話番号記憶テーブル２５ｄを用いる例について説明する。
【０１０６】
ステップａ５で回線を接続させた後のステップａ２３では、予め定められる期間において、前記ＤＴＭＦ検出部１４でＤＴＭＦ信号を検出する。さらにステップａ２４に進み、制御部２が、検出したＤＴＭＦ信号に対応する識別番号３０で記憶されている着信電話番号２６をテーブル２５ｄから選択して読出し、ステップａ６に進む。制御部２によって、このような選択動作が実行される。
【０１０７】
図１９は、第９実施形態の電話機１の転送動作の一例を示すシーケンスである。オペレータの不在時において複数の電話機Ｂから電話機１に電話があると、電話機Ｂの電話番号が着信電話番号記憶テーブル２５ｄに順次的に記憶される。次に、特定電話機Ａから電話機１に電話があると、電話機１，Ａ間の回線を接続させて通話を確立し、まず転送先を指定するための番号入力を促す所定のメッセージが、電話機Ａに向けて送出される。たとえば、「１番：０１２３４５６７８９、２番：９８７６５４３２１０から不在着信がありました。転送する番号をどうぞ。」というメッセージが送出される。
【０１０８】
次に、前記メッセージに応答して電話機Ａから入力されたＤＴＭＦ信号がＤＴＭＦ検出部１４で検出され、検出したＤＴＭＦ信号に対応する識別番号３０で記憶されている着信電話番号２６への転送動作が開始される。すなわち、通話を保留し、電話機１は検出された電話番号の電話機Ｂを呼出す。電話機Ｂで応答があると電話機Ａ，Ｂ間の回線を接続させて通話を確立する。
【０１０９】
以上のように第９実施形態によれば、電話機１のオペレータであって、外出したオペレータが電話機Ａを操作する場合、電話機１に複数の任意の電話機Ｂから電話がかかっていたときには、電話機Ａから電話機１に電話をかけ、転送すべき電話機Ｂを指定することによって、電話機Ｂを呼出し、電話機Ｂの応答によって電話機Ａ，Ｂ間での通話を可能とする。
【０１１０】
なお、着信電話番号記憶テーブル２５ｄに代わって着信電話番号記憶テーブル２５ｅを用いて、前述した第６〜第８実施形態のように、応答状況情報２７や転送状況情報２８などに基づいて転送動作を制御するようにしてもかまわない。
【０１１１】
図２０は、第１０実施形態である電話機１の相手電話番号記憶部１２が有する着信電話番号記憶テーブル２５ｆを示す図である。該テーブル２５ｆは、前記テーブル２５ｄと同様にして構成される。図２０（Ａ）に示されるように複数の着信電話番号２６が記憶可能であり、また図２０（Ｂ）に示されるように転送先として選択された電話番号が消去可能である。
【０１１２】
図２１は、第１０実施形態の電話機１の転送動作を示すフローチャートである。このフローチャートは、図１８のフローチャートにステップａ２５を追加したものであり、同様のステップの説明は省略する。
【０１１３】
ステップａ８で回線を遮断させるとステップａ２５に進み、制御部２は、テーブル２５ｆから転送した着信電話番号２６を消去して、動作を終了する。制御部２によって、このような電話番号消去動作が実行される。
【０１１４】
以上のように第１０実施形態によれば、一度転送された着信電話番号２６は着信電話番号記憶テーブル２５ｆから消去されるので、同じ電話機に複数回転送することを防止することができる。
【０１１５】
図２２は、第１１実施形態である電話機１の相手電話番号記憶部１２が有する着信電話番号記憶テーブル２５ｇを示す図である。該テーブル２５ｇは、前記テーブル２５ｄとほぼ同様にして構成されるが、転送状況情報２８を対応付けて記憶するものである。該転送状況情報２８によって、図２２（Ａ）に示されるように転送していないことが記憶され、また図２２（Ｂ）に示されるように転送したことが記憶される。
【０１１６】
図２３は、第１１実施形態の電話機１の転送動作を示すフローチャートである。このフローチャートは、図１８のフローチャートにステップａ２６，ａ２７を追加したものであり、同様のステップの説明は省略する。
【０１１７】
ステップａ４で不在着信の電話番号を記憶していると判断されると、ステップａ２６に進み、着信電話番号記憶テーブル２５ｇの転送状況情報２８を参照して転送していない着信電話番号２６があるかどうかを、制御部２が判断する。あるときにはステップａ２３に進み、ないときには動作を終了する。
【０１１８】
ステップａ２３で予め定められる期間において、前記ＤＴＭＦ検出部１４でＤＴＭＦ信号を検出し、ステップａ２４で制御部２が、検出したＤＴＭＦ信号に対応する識別番号３０で記憶されている着信電話番号２６を着信電話番号記憶テーブル２５ｇから読出した後、ステップａ５〜ａ８の動作を実行する。ステップａ８で回線を遮断させるとステップａ２７に進み、着信電話番号２６に対して転送したことを示す転送状況情報２８を対応付けて着信電話番号記憶テーブル２５ｇに記憶して、動作を終了する。
【０１１９】
以上のように第１１実施形態によれば、複数の着信電話番号２６が記憶される場合であっても、転送状況情報２８に基づいて転送されていない電話機に転送するよう、転送動作を制御することができる。
【０１２０】
図２４は、第１２実施形態である電話機１の相手電話番号記憶部１２が有する着信電話番号記憶テーブル２５ｈを示す図である。該テーブル２５ｈは、前記テーブル２５ｄとほぼ同様にして構成される。図２４（Ａ）に示されるように複数の着信電話番号２６が記憶され、転送時に転送先の電話機が通話中であったときには、図２４（Ｂ）に示されるように、該電話機の電話番号が消去されず、記憶が保持される。
【０１２１】
図２５は、第１２実施形態の電話機１の転送動作を示すフローチャートである。このフローチャートは、図１８のフローチャートにステップａ２５，ａ２８，ａ２９を追加したものであり、同様のステップの説明は省略する。ステップａ７で選択された着信電話番号２６の電話機を呼出したステップａ２８では、通話中であることを示す話中音を検出したかどうかを、制御部２が判断する。制御部２によって、このような通話検出機能が実行される。検出したときにはステップａ２９に進み、回線を遮断させて動作を終了する。検出しなかったときにはステップａ８に進み、回線を遮断させてステップａ２５に進み、転送された着信電話番号２６をテーブル２５ｈから消去して動作を終了する。
【０１２２】
図２６は、第１２実施形態の電話機１の転送動作の一例を示すシーケンスである。オペレータの不在時において、電話があった電話機Ｂの電話番号が着信電話番号記憶テーブル２５ｈに記憶される。特定電話機Ａから電話機１に電話があると、電話機１，Ａ間の回線を接続させて通話を確立する。そして、まず、転送先を指定するための番号入力を促す所定のメッセージが、電話機Ａに向けて送出され、該メッセージに応答して電話機Ａから入力されたＤＴＭＦ信号がＤＴＭＦ検出部１４で検出され、検出したＤＴＭＦ信号に対応する識別番号３０で記憶されている着信電話番号２６への転送動作を開始し、電話機Ｂを呼出す。
【０１２３】
ここで、電話機Ｂが他の電話機と通話中であると、話中音が検出される。この話中音が予め定められる時間検出されると、電話機１は回線との接続を遮断させ、網は電話機Ａに話中音を送出する。
【０１２４】
以上のように第１２実施形態によれば、転送時に、転送先の電話機Ｂが通話中であることが検出されたときには、テーブル２５ｈから着信電話番号２６を消去しないようにでき、電話機Ａから電話機１を再び呼出して、電話機Ｂに転送することができる。
【０１２５】
図２７は、第１３実施形態である電話機１の相手電話番号記憶部１２が有する着信電話番号記憶テーブル２５ｉを示す図である。該テーブル２５ｉは、前記テーブル２５ｇとほぼ同様にして構成される。図２４（Ａ）に示されるように複数の着信電話番号２６が記憶され、図２７（Ｂ）に示されるように、対応付けられている転送状況情報２８によって転送していないと示される電話番号には、転送時に転送先の電話機が通話中であったときの電話番号を含む。
【０１２６】
図２８は、第１３実施形態の電話機１の転送動作を示すフローチャートである。このフローチャートは、図２５のフローチャートにステップａ２６，ａ２７，ａ３０を追加したものであり、同様のステップの説明は省略する。
【０１２７】
ステップａ４で不在着信の電話番号を記憶していると判断されるとステップａ２６に進み、転送していない着信電話番号２６があるかどうかを、制御部２が判断する。ある場合にはステップａ５に進み、ない場合には動作を終了する。
【０１２８】
ステップａ５，ａ２３，ａ２４，ａ６，ａ７，ａ２８の動作を行い、ステップａ２８で話中音を検出したときにはステップａ２９に進み、検出していないときにはステップａ８に進む。
【０１２９】
ステップａ２９で回線を遮断させるとステップａ３０に進み、着信電話番号２６に対して、話し中であって転送していないことを示す転送状況情報２８を対応付けて着信電話番号記憶テーブル２５ｉに記憶し、動作を終了する。
【０１３０】
ステップａ８で回線を遮断させるとステップａ２７に進み、着信電話番号２６に対して、転送したことを示す転送状況情報２８を対応付けて着信電話番号記憶テーブル２５ｉに記憶し、動作を終了する。
【０１３１】
以上のように第１３実施形態によれば、転送時に、転送先の電話機Ｂが通話中であることが検出されたときには、転送状況情報２８によって、通話中であったことが着信電話番号記憶テーブル２５ｉに記憶され、電話機Ａから電話機１を再び呼出して、電話中であった電話機Ｂに転送することができる。
【０１３２】
図２９は、第１４実施形態である電話機１の転送動作を示すフローチャートである。このフローチャートは、図２８のフローチャートにステップａ３１〜ａ３３を追加したものであり、同様のステップの説明は省略する。
【０１３３】
ステップａ５で回線を接続させるとステップａ３１に進み、転送先選択用メッセージを送出して、ステップａ２３に進む。
【０１３４】
ステップａ２８で話中音を検出したときにはステップａ３２に進み、フッキング動作を実施してステップａ３３に進み、話し中であった電話機を示す識別番号３０を示すメッセージ、たとえば「ｘ番は話中でした」というメッセージを、前記メッセージ録音再生部１５によって再生し、電話回線網に送出してステップａ２９に進む。ステップａ２８で話中音を検出していないときにはステップａ８に進む。
【０１３５】
図３０は、第１４実施形態の電話機１の転送動作の一例を示すシーケンスである。オペレータの不在時において、電話があった電話機Ｂの電話番号が着信電話番号記憶テーブルに記憶される。次に、特定電話機Ａから電話機１に電話があると、電話機１，Ａ間の回線を接続させて通話を確立する。そして、まず、転送先を指定するための番号入力を促す所定のメッセージが、電話機Ａに向けて送出し、該メッセージに応答して電話機Ａから入力されたＤＴＭＦ信号がＤＴＭＦ検出部１４で検出し、検出したＤＴＭＦ信号に対応する識別番号３０で記憶されている着信電話番号２６への転送動作を開始し、電話機Ｂを呼出す。
【０１３６】
ここで、電話機Ｂが他の電話機と通話中であると、話中音が検出される。この話中音が予め定められる時間検出されると、電話機１はフッキング動作を行って、電話機Ａに向けて電話機Ｂが話し中であったことを示す所定のメッセージを送出した後、回線との接続を遮断させ、網は電話機Ａに話中音を送出する。
【０１３７】
以上のように第１４実施形態によれば、転送時に、転送先の電話機Ｂが通話中であることが検出されたときには、電話機Ａに電話機Ｂが話し中であったことが報知され、電話機Ａを操作するオペレータは、電話機Ｂの話し中を把握することができる。
【０１３８】
図３１は、第１５実施形態である電話機１の転送動作を示すフローチャートである。このフローチャートは、図２９のフローチャートのステップａ２９，ａ３０，ａ３２，ａ３３を削除して、ステップａ３４を追加したものであり、同様のステップの説明は省略する。
【０１３９】
ステップａ２８で話中音を検出したときにはステップａ３４に進み、話し中であった電話機を示す識別番号３０を示すメッセージ、たとえば「ｘ番は話中でした」というメッセージを、前記メッセージ録音再生部１５によって再生し、電話回線網に送出してステップａ３１に戻る。
【０１４０】
図３２は、第１５実施形態の電話機１の転送動作の一例を示すシーケンスである。特定電話機Ａから電話機１に電話があり、電話機Ｂを呼出す。電話機Ｂが他の電話機と通話中であり、話中音が予め定められる時間検出されると、電話機１はフッキング動作を行って、電話機Ａに向けて電話機Ｂが話し中であったことを示す所定のメッセージを送出した後、電話機Ａからさらに入力されるＤＴＭＦ信号をＤＴＭＦ検出部１４で検出する。
【０１４１】
以上のように第１５実施形態によれば、転送時に、転送先の電話機Ｂが通話中であることが検出されたときには、電話機Ａに電話機Ｂが話し中であったことが報知され、さらに転送先の電話機Ｂとは異なる電話機を選択することができる。
【０１４２】
図３３は、第１６実施形態である電話機１の転送動作を示すフローチャートである。このフローチャートは、図２９のフローチャートにステップａ３５を追加したものであり、同様のステップの説明は省略する。
【０１４３】
ステップａ３３で話し中であった電話機を示す識別番号３０を示すメッセージ、たとえば「ｘ番は話中でした」というメッセージを、前記メッセージ録音再生部１５によって再生し、電話回線網に送出すると、ステップａ３５に進む。ステップａ３５では、受信したメッセージを前記メッセージ録音再生部１５によって録音して、ステップａ２９に進む。
【０１４４】
図３４は、第１６実施形態の電話機１の転送動作の一例を示すシーケンスである。特定電話機Ａから電話機１に電話があり、電話機Ｂを呼出す。電話機Ｂが他の電話機と通話中であり、話中音が予め定められる時間検出されると、電話機１はフッキング動作を行って、電話機Ａに向けて電話機Ｂが話し中であったことを示す所定のメッセージを送出した後、電話機Ａから入力されるメッセージを録音し、回線を遮断させ、電話回線網は電話機Ａに話中音を送出する。
【０１４５】
以上のように第１６実施形態によれば、転送時に、転送先の電話機Ｂが通話中であることが検出されたときには、電話機Ａからのメッセージを録音することができる。
【０１４６】
図３５は、第１７実施形態である電話機１の転送動作を示すフローチャートである。このフローチャートは、図３３のフローチャートにステップａ３６を追加したものであり、同様のステップの説明は省略する。
【０１４７】
ステップａ３０で着信電話番号２６に対して話し中であって、転送していないことを示す転送状況情報２８が対応付けられて、着信電話番号記憶テーブルに記憶されると、ステップａ３６に進む。ステップａ３６では、転送先の電話機を再度呼出し、該転送先で応答があったときに、前記ステップａ３５で録音したメッセージを、メッセージ録音再生部１５で再生して転送先の電話機に向けて送信する。
【０１４８】
図３６は、第１７実施形態の電話機１の転送動作の一例を示すシーケンスである。特定電話機Ａから電話機１に電話があり、電話機Ｂを呼出す。電話機Ｂが他の電話機と通話中であり、話中音が予め定められる時間検出されると、電話機１はフッキング動作を行って、電話機Ａに向けて電話機Ｂが話し中であったことを示す所定のメッセージを送出した後、電話機Ａから入力されるメッセージを録音する。その後、再度呼出された転送先の電話機で応答があると、録音された前記メッセージを再生して送出する。
【０１４９】
以上のように第１７実施形態によれば、転送時に、転送先の電話機Ｂが通話中であることが検出されたときには、電話機Ａからのメッセージを録音し、さらに再度の呼出し時で応答したときに、該メッセージを再生して送出することができる。したがって、電話機Ａのオペレータは、電話機１を１回呼出すだけで、電話機Ｂへ所望のメッセージを送出することができる。
【０１５０】
図３７は、第１８実施形態である電話機１の転送動作を示すフローチャートである。このフローチャートは、図３３のフローチャートにステップａ３７，ａ３８を追加したものであり、同様のステップの説明は省略する。
【０１５１】
ステップａ４で不在着信の電話番号２６を記憶していると判断されると、ステップａ３７に進み、該電話番号２６の電話機に対するメッセージを、前記メッセージ録音再生部１５に録音されているかどうかを、制御部２が判断する。録音されているときにはステップａ３８に進み、該メッセージを再生して送出し、動作を終了する。録音されていないときにはステップａ２６に進む。
【０１５２】
図３８は、第１８実施形態の電話機１の転送動作の一例を示すシーケンスである。特定電話機Ａから電話機１に電話があり、電話機Ｂを呼出す。電話機Ｂが他の電話機と通話中であり、話中音が予め定められる時間検出されると、電話機１はフッキング動作を行って、電話機Ａに向けて電話機Ｂが話し中であったことを示す所定のメッセージを送出した後、電話機Ａから入力される電話機Ｂへ向けてのメッセージを録音する。そして、電話機Ｂから電話があったときに、録音されたメッセージを再生して電話機Ｂに向けて送出する。
【０１５３】
以上のように第１８実施形態によれば、転送時に、転送先の電話機Ｂが通話中であることが検出されたときには、電話機Ａから電話機Ｂへのメッセージを録音し、さらに電話機Ｂから電話機１が呼出されたときに該メッセージを再生して電話機Ｂに送出することができる。したがって、電話機Ａのオペレータは電話機１を１回呼出すだけで電話機Ｂへ所望のメッセージを送出することができる。
【０１５４】
第１９実施形態である電話機１は、前記留守番電話機能を用いるものである。図３９は、第１９実施形態である電話機１の転送動作の一例を示すシーケンスである。オペレータの不在時において、電話があった電話機Ｂの電話番号が着信電話番号記憶テーブルに記憶される。また、このとき留守番電話機能によって、電話機Ｂからのメッセージが録音される。たとえば、電話機１からメッセージの入力を促す「メッセージをどうぞ」などの音声信号が電話機Ｂに向けて送出され、これに応答して入力された電話機Ｂからのメッセージが録音される。録音されたメッセージは、電話機Ｂの電話番号に対応付けて記憶される。
【０１５５】
次に、特定電話機Ａから電話機１に電話があると、電話機１，Ａ間の回線を接続させて通話を確立する。そして、まず、転送先を指定するための番号入力を促す所定のメッセージが、電話機Ａに向けて送出され、該メッセージに応答して電話機Ａから入力されたＤＴＭＦ信号が、ＤＴＭＦ検出部１４で検出される。
【０１５６】
さらに、電話機１では、前記留守番電話機能によって録音されたメッセージがある場合、これを示唆するメッセージ、たとえば「ｘ（電話機Ｂの電話番号）番からのメッセージがあります」というメッセージを電話機Ａに向けて送出した後、録音されたメッセージを送出する。
【０１５７】
その後、検出したＤＴＭＦ信号に対応する識別番号３０で記憶されている着信電話番号２６への転送動作を開始する。通話を保留し、電話機１は検出された電話番号の電話機Ｂを呼出す。電話機Ｂで応答があると電話機Ａ，Ｂ間での通話を実施する。
【０１５８】
以上のように第１９実施形態によれば、留守番電話機能によって録音されたメッセージが電話機Ａに送出される。したがって、電話機Ａのオペレータは、留守番電話機能によってどのようなメッセージが録音されているかを容易に把握することができる。
【０１５９】
図４０は、第２０実施形態である電話機１の相手電話番号記憶部１２が有する着信電話番号記憶テーブル２５ｊを示す図である。該テーブル２５ｊは、識別番号３０毎に着信電話番号２６を記憶するとともに、各電話番号の着信日時３１を対応付けて記憶するものである。着信日時３１は、タイマ１１で計測される。
【０１６０】
また、着信電話番号記憶テーブル２５ｊとは別に、予め設定される特定日時を記憶する特定日時記憶テーブルが、各種設定記憶部１３に設けられる。
【０１６１】
図４１は、第２０実施形態の電話機１の転送動作の一例を示すシーケンスである。オペレータの不在時において、電話があった電話機Ｂの電話番号とともに着信日時が着信電話番号記憶テーブル２５ｊに記憶される。次に、特定電話機Ａから電話機１に電話があると、電話機１，Ａ間の回線を接続させて通話を確立する。そして、まず、転送先を指定するための番号入力を促す所定のメッセージを、電話機Ａに向けて送出する。このとき、着信電話番号テーブル２５ｊの着信日時３１と、特定日時記憶テーブルの特定日時とが照合され、特定日時以降の着信日時３１に関して、前記メッセージが送出される。
【０１６２】
さらに、該メッセージに応答して電話機Ａから入力されたＤＴＭＦ信号がＤＴＭＦ検出部１４で検出される。その後、検出したＤＴＭＦ信号に対応する識別番号３０で記憶されている着信電話番号２６への転送動作を開始する。すなわち、通話が保留され、電話機１は検出された電話番号の電話機Ｂを呼出す。電話機Ｂで応答があると電話機Ａ，Ｂ間での通話が実施される。
【０１６３】
以上のように第２０実施形態によれば、特定日時以降に不在着信した電話機のみを転送先として扱うことができるので、多数不在着信するような場合、転送先を特定日時に基づいて選択して転送先の候補を低減することができる。
【０１６４】
【発明の効果】
以上のように本発明によれば、電話番号によって特定された一方端末装置から電話機に電話をかけて、自動的に他方端末装置を呼出すようにしたので、他方端末装置の応答によって一方および他方端末装置間での通話が可能となる。一方端末装置のオペレータは、電話機に電話がかかっていたかなどを確認するための煩わしい操作を行う必要はなく、また筆記用具を準備する必要もないので、操作性が著しく向上する。
また、電話番号または端末識別情報によって特定された一方端末装置から電話機に電話をかけて、複数の他方端末装置の中から所望の他方端末装置を選択して、該他方端末装置を呼出すようにしたので、他方端末装置の応答によって一方および他方端末装置間での通話が可能となる。
【０１６５】
また本発明によれば、以前に着信があった複数の他方端末装置のうちの選択されて転送された他方端末装置の電話番号を消去するようにしたので、次回に一方端末装置から電話機を呼出したときに一度転送された他方端末装置に転送されることがなくなり、したがって不要な他方端末装置への転送動作をなくすことができ、通話時間を短縮することができ、通話料金を低減して利便性を向上することができる。
【０１６６】
また本発明によれば、複数の他方端末装置に対する転送状況情報によって電話番号を消去することなく、転送動作を制御することができる。
【０１６７】
また本発明によれば、他方端末装置が通話中であったときには電話番号を消去しないようにしたので、次回に一方端末装置から電話機を呼出したときに、通話中であった前記他方端末装置を含む他方端末装置の中から所望の他方端末装置を選択して転送することができる。
【０１６８】
また本発明によれば、複数の他方端末装置に対する通話状況情報を含む転送状況情報によって電話番号を消去することなく、転送動作を制御することができる。
【０１６９】
また本発明によれば、転送先の他方端末装置が通話中であることが検出されたときに、一方端末装置に対して他方端末装置が通話中であることを示すメッセージを送出するようにしたので、一方端末装置を操作するオペレータは、転送先の他方端末装置が通話中であることを把握することができる。
【０１７０】
また本発明によれば、転送先の他方端末装置が通話中であることが検出されたときに、異なる転送先の他方端末装置を再度選択して、再選択された他方端末装置に転送するようにしたので、一方端末装置による電話機の一回の呼出しによって、複数の他方端末装置への転送動作を繰返して実施することができ、優れた操作性が得られる。
【０１７１】
また本発明によれば、転送先の他方端末装置が通話中であることが検出されたときに、保留を解除して一方端末装置からの音声信号を録音するようにしたので、一方端末装置のオペレータから他方端末装置のオペレータへのメッセージを電話機で録音することができる。
【０１７２】
また本発明によれば、転送時に通話中であった他方端末装置への転送動作を再度実行し、該他方端末装置で応答があったときに、録音された音声信号を再生して他方端末装置に送出するようにしたので、一方端末装置のオペレータから他方端末装置のオペレータへのメッセージを一方端末装置からの一度の呼出しだけで容易に送出することができる。
【０１７３】
また本発明によれば、転送時に通話中であった他方端末装置からの呼出しがあったときに、録音された音声信号を再生して他方端末装置に送出するようにしたので、一方端末装置のオペレータから他方端末装置のオペレータへのメッセージを一方端末装置からの一度の呼出しだけで容易に送出することができる。
【図面の簡単な説明】
【図１】図１（Ａ）は、本発明の一実施形態である電話機１の電気的構成を示すブロック図であり、図１（Ｂ）は、電話機１の接続の様子を示す図である。
【図２】メッセージ録音再生部１５が有する音声データ記憶テーブル２１を示す図である。
【図３】本発明の第１実施形態である電話機１の転送動作を示すフローチャートである。
【図４】電話機１の転送動作の一例を示すシーケンスである。
【図５】第２実施形態である電話機１の転送動作の一例を示すシーケンスである。
【図６】第３実施形態である電話機１の転送動作を示すフローチャートである。
【図７】第３実施形態の電話機１の転送動作の一例を示すシーケンスである。
【図８】第４実施形態である電話機１の転送動作を示すフローチャートである。
【図９】第５実施形態である電話機１の転送動作を示すフローチャートである。
【図１０】第５実施形態の電話機１の転送動作の一例を示すシーケンスである。
【図１１】第６実施形態である電話機１の各種設定記憶部１３が有する検出電話番号記憶テーブル２５ａを示す図である。
【図１２】第６実施形態の電話機１の転送動作を示すフローチャートである。
【図１３】第７実施形態である電話機１の各種設定記憶部１３が有する検出電話番号記憶テーブル２５ｂを示す図である。
【図１４】第７実施形態の電話機１の転送動作を示すフローチャートである。
【図１５】第８実施形態である電話機１の各種設定記憶部１３が有する検出電話番号記憶テーブル２５ｃを示す図である。
【図１６】第８実施形態の電話機１の転送動作を示すフローチャートである。
【図１７】図１７（Ａ）および図１７（Ｂ）は、第９実施形態である電話機１の各種設定記憶部１３が有する検出電話番号記憶テーブル２５ｄ，２５ｅをそれぞれ示す図である。
【図１８】第９実施形態の電話機１の転送動作を示すフローチャートである。
【図１９】第９実施形態の電話機１の転送動作の一例を示すシーケンスである。
【図２０】第１０実施形態である電話機１の各種設定記憶部１３が有する検出電話番号記憶テーブル２５ｆを示す図である。
【図２１】第１０実施形態の電話機１の転送動作を示すフローチャートである。
【図２２】第１１実施形態である電話機１の各種設定記憶部１３が有する検出電話番号記憶テーブル２５ｇを示す図である。
【図２３】第１１実施形態の電話機１の転送動作を示すフローチャートである。
【図２４】第１２実施形態である電話機１の各種設定記憶部１３が有する検出電話番号記憶テーブル２５ｈを示す図である。
【図２５】第１２実施形態の電話機１の転送動作を示すフローチャートである。
【図２６】第１２実施形態の電話機１の転送動作の一例を示すシーケンスである。
【図２７】第１３実施形態である電話機１の各種設定記憶部１３が有する検出電話番号記憶テーブル２５ｉを示す図である。
【図２８】第１３実施形態の電話機１の転送動作を示すフローチャートである。
【図２９】第１４実施形態である電話機１の転送動作を示すフローチャートである。
【図３０】第１４実施形態の電話機１の転送動作の一例を示すシーケンスである。
【図３１】第１５実施形態である電話機１の転送動作を示すフローチャートである。
【図３２】第１５実施形態の電話機１の転送動作の一例を示すシーケンスである。
【図３３】第１６実施形態である電話機１の転送動作を示すフローチャートである。
【図３４】第１６実施形態の電話機１の転送動作の一例を示すシーケンスである。
【図３５】第１７実施形態である電話機１の転送動作を示すフローチャートである。
【図３６】第１７実施形態の電話機１の転送動作の一例を示すシーケンスである。
【図３７】第１８実施形態である電話機１の転送動作を示すフローチャートである。
【図３８】第１８実施形態の電話機１の転送動作の一例を示すシーケンスである。
【図３９】第１９実施形態である電話機１の転送動作の一例を示すシーケンスである。
【図４０】第２０実施形態である電話機１の各種設定記憶部１３が有する検出電話番号記憶テーブル２５ｊを示す図である。
【図４１】第２０実施形態の電話機１の転送動作の一例を示すシーケンスである。
【符号の説明】
１  電話機
２  制御部
３  ダイヤルボタン群
４  操作ボタン群
５  留守設定ボタン
６  表示部
７  相手先検出部
８  相手終話検出部
９  ハンドセット上下検出部
１０  ハンドセット
１１  タイマ
１２  相手電話番号記憶部
１３  各種設定記憶部
１４  ＤＴＭＦ検出部
１５  メッセージ録音再生部
１６  呼出し音出力部
１７  網制御部
２１  音声データ記憶テーブル
２２  データ識別番号
２３  音声データ
２５ａ〜２５ｊ  着信電話番号記憶テーブル
２６  着信電話番号
２７  応答状況情報
２８  転送状況情報
２９  転送中断情報
３０  識別番号
３１  着信日時
【図１】
0003699805.tif 000002
【図２】
0003699805.tif 000003
【図３】
0003699805.tif 000004
【図４】
0003699805.tif 000005
【図５】
0003699805.tif 000006
【図６】
0003699805.tif 000007
【図７】
0003699805.tif 000008
【図８】
0003699805.tif 000009
【図９】
0003699805.tif 000010
【図１０】
0003699805.tif 000011
【図１１】
0003699805.tif 000012
【図１２】
0003699805.tif 000013
【図１３】
0003699805.tif 000014
【図１４】
0003699805.tif 000015
【図１５】
0003699805.tif 000016
【図１６】
0003699805.tif 000017
【図１７】
0003699805.tif 000018
【図１８】
0003699805.tif 000019
【図１９】
0003699805.tif 000020
【図２０】
0003699805.tif 000021
【図２１】
0003699805.tif 000022
【図２２】
0003699805.tif 000023
【図２３】
0003699805.tif 000024
【図２４】
0003699805.tif 000025
【図２５】
0003699805.tif 000026
【図２６】
0003699805.tif 000027
【図２７】
0003699805.tif 000028
【図２８】
0003699805.tif 000029
【図２９】
0003699805.tif 000030
【図３０】
0003699805.tif 000031
【図３１】
0003699805.tif 000032
【図３２】
0003699805.tif 000033
【図３３】
0003699805.tif 000034
【図３４】
0003699805.tif 000035
【図３５】
0003699805.tif 000036
【図３６】
0003699805.tif 000037
【図３７】
0003699805.tif 000038
【図３８】
0003699805.tif 000039
【図３９】
0003699805.tif 000040
【図４０】
0003699805.tif 000041
【図４１】
0003699805.tif 000042